(57)【要約】【課題】本発明は、部屋における暖房を、立ち上がりが早く、しかも快適であって、経済的なものにできる寝室の暖房システム及び暖房方法を提供することを目的とする。【解決手段】輻射暖房装置用コントローラを有する輻射暖房装置と、エアコンとを備えている。輻射暖房装置用コントローラには、管理部と稼動操作部とが設けられている。管理部は、輻射暖房装置稼動開始信号を稼動操作部に送信し、輻射暖房装置を、輻射暖房装置稼動停止信号を送信するまで稼動させる。又、管理部は、エアコン稼動開始信号とエアコン稼動停止信号とを、エアコンに送信するとともに、エアコン稼動停止信号を送信後、寝室の室温が設定室温より低い旨の判定をした場合、エアコン稼動開始信号をエアコンに送信し、その後、室温が設定室温より高い旨の判定をした場合、エアコン稼動停止信号をエアコンに送信する。【選択図】図８
2009109032.tif 000002
【特許請求の範囲】
【請求項１】
部屋における天井壁と側壁との少なくとも一方に設けられ部屋に輻射熱を放出する輻射暖房装置と、部屋に温風を送出するエアコンと、これらの輻射暖房装置とエアコンとに制御信号を送信しそれらを連動稼動可能に制御する管理部とを備えた部屋の暖房システムであって、
前記管理部は、輻射暖房装置稼動判定部とエアコン稼動判定部とを備え、輻射暖房装置稼動判定部による判定に基づいて、輻射暖房装置稼動開始信号と輻射暖房装置稼動停止信号とを輻射暖房装置に送信し、エアコン稼動判定部による判定に基づいて、エアコン稼動開始信号をエアコンに送信するとともに、エアコン稼動停止信号を、前記輻射暖房装置稼動開始信号の送信後であって前記輻射暖房装置稼動停止信号の送信前に、エアコンに送信することを特徴とする部屋の暖房システム。
【請求項２】
前記管理部は、エアコン稼動開始信号を、前記輻射暖房装置稼動開始信号の送信前に、エアコンに送信することを特徴とする請求項１記載の部屋の暖房システム。
【請求項３】
前記管理部は、部屋の室温を検出する検出センサによって検出された前記室温の検出温度に基づいて、前記エアコン稼動停止信号の送信後における室温が設定室温よりも低いか又は高いかを判定する設定室温高低判定部を備え、その設定室温高低判定部によって、前記室温が設定室温より低い旨の判定をした場合に、エアコン稼動開始信号をエアコンに再度送信するとともに、そのエアコン稼動開始信号の送信後における室温が設定室温より高い旨の判定をした場合に、エアコン稼動停止信号をエアコンに送信することを特徴とする請求項１又は２記載の部屋の暖房システム。
【請求項４】
前記管理部は、部屋の室温を検出する検出センサによって検出された検出温度に基づいて、前記エアコン稼動停止信号の送信後における室温が設定室温よりも低いか又は高いかを判定する設定室温高低判定部を備え、その設定室温高低判定部によって、前記室温が設定室温より低い旨の判定をした場合に、輻射暖房装置出力アップ稼動開始信号を輻射暖房装置に送信するとともに、その輻射暖房装置出力アップ稼動開始信号の送信後における前記室温が設定室温より高い旨の判定をした場合に、輻射暖房装置出力アップ稼動終了信号を輻射暖房装置に送信し、
前記輻射暖房装置は、前記輻射暖房装置稼動開始信号を受信した場合に平常稼動を開始し、前記輻射暖房装置出力アップ稼動開始信号を受信した場合に、前記平常稼動よりも出力を上げて稼動する出力アップ稼動を開始し、前記輻射暖房装置出力アップ稼動終了信号を受信した場合に、前記出力アップ稼動を終了して前記平常稼動に切り替えることを特徴とする請求項１又は２記載部屋の暖房システム。
【請求項５】
部屋に輻射熱を放出する輻射暖房装置と部屋に温風を送出するエアコンとこれらの輻射暖房装置とエアコンとに制御信号を送信しそれらを連動稼動可能に制御する管理部とを用いて部屋の暖房を行う部屋の暖房方法であって、
前記管理部に、輻射暖房装置の稼動の開始及び停止を判定させ、その判定に基づいて、輻射暖房装置稼動開始信号と輻射暖房装置稼動停止信号とを輻射暖房装置に送信させるとともに、エアコンの稼動の開始及び停止を判定させ、その判定に基づいて、エアコン稼動開始信号をエアコンに送信させるとともに、エアコン稼動停止信号を、前記輻射暖房装置稼動開始信号の送信後であって前記輻射暖房装置稼動停止信号の送信前に、エアコンに送信させることを特徴とする部屋の暖房方法。
【発明の詳細な説明】
【技術分野】
【０００１】
本発明は、寝室等の部屋の暖房システム及び暖房方法に関するものである。
【背景技術】
【０００２】
例えばエアコン（エアコンディショナー）による暖房は、立ち上がりが比較的早く、省エネであるというメリットを有する。そのため、従来から、寝室等の部屋における暖房として、エアコンが用いられる場合も多い。しかし、エアコンの温風が就寝中等に当たると不快と感じる人も多いとともに、暖気は部屋の上部に溜まってしまい、寝室の暖房としては、必ずしも適しているとはいえない。
【０００３】
又、例えばヒーター線を熱源とし輻射熱を拡散する輻射パネルを側壁や天井壁に組み込むようにした輻射暖房装置も寝室等の暖房として知られている。このような輻射暖房装置は、対流がなく、マイルドな暖房感が得られるが、輻射パネルから輻射熱を拡散させるまでの立ち上がり時間が長く、又、熱源がジュール熱利用のため、ランニングコストが高く付くという問題点がある。
【０００４】
一方、例えば壁掛け空気調和機（エアコン）の下部に急速に立ち上がる輻射暖房機を取り付け、２つの機器の連動により暖房の立ち上がりを早くし、部屋が暖かくなれば輻射暖房機をオフにするなどして経済的に運転させようとしたものが提案されている（特許文献１参照）。
【特許文献１】登録実用新案第３０６４６８２号公報
【発明の開示】
【発明が解決しようとする課題】
【０００５】
しかしながら、上記特許文献１のように、壁掛け空気調和機（エアコン）の下部に輻射暖房機を取り付けると、輻射暖房機による輻射熱が空気調和機（エアコン）の温風によって共に送られてしまい、温風を嫌う人には好ましくない。又、部屋が暖かくなれば輻射暖房機をオフにしてエアコンを稼動させると、上記と同様に、エアコンの温風が就寝中に当たると不快と感じる人には睡眠をとり難く、しかも、暖気は寝室の上部に溜まってしまい、寝室の暖房方法としては、必ずしも最適であるというものではない。
【０００６】
本発明は、部屋における暖房を、立ち上がりが早く、しかも快適であって、経済的なものにできる部屋の暖房システム及び暖房方法を提供することを目的とする。
【課題を解決するための手段】
【０００７】
前記課題を解決するために、本発明の請求項１は、部屋における天井壁と側壁との少なくとも一方に設けられ部屋に輻射熱を放出する輻射暖房装置と、部屋に温風を送出するエアコンと、これらの輻射暖房装置とエアコンとに制御信号を送信しそれらを連動稼動可能に制御する管理部とを備えた部屋の暖房システムであって、前記管理部は、輻射暖房装置稼動判定部とエアコン稼動判定部とを備え、輻射暖房装置稼動判定部による判定に基づいて、輻射暖房装置稼動開始信号と輻射暖房装置稼動停止信号とを輻射暖房装置に送信し、エアコン稼動判定部による判定に基づいて、エアコン稼動開始信号をエアコンに送信するとともに、エアコン稼動停止信号を、前記輻射暖房装置稼動開始信号の送信後であって前記輻射暖房装置稼動停止信号の送信前に、エアコンに送信することを特徴とする部屋の暖房システムを提供する。
【０００８】
請求項２のように、前記管理部は、エアコン稼動開始信号を、前記輻射暖房装置稼動開始信号の送信前に、エアコンに送信することが好ましい。
【０００９】
請求項３のように、前記管理部は、部屋の室温を検出する検出センサによって検出された前記室温の検出温度に基づいて、前記エアコン稼動停止信号の送信後における室温が設定室温よりも低いか又は高いかを判定する設定室温高低判定部を備え、その設定室温高低判定部によって、前記室温が設定室温より低い旨の判定をした場合に、エアコン稼動開始信号をエアコンに再度送信するとともに、そのエアコン稼動開始信号の送信後における室温が設定室温より高い旨の判定をした場合に、エアコン稼動停止信号をエアコンに送信することが好ましい。
【００１０】
請求項４のように、前記管理部は、部屋の室温を検出する検出センサによって検出された検出温度に基づいて、前記エアコン稼動停止信号の送信後における室温が設定室温よりも低いか又は高いかを判定する設定室温高低判定部を備え、その設定室温高低判定部によって、前記室温が設定室温より低い旨の判定をした場合に、輻射暖房装置出力アップ稼動開始信号を輻射暖房装置に送信するとともに、その輻射暖房装置出力アップ稼動開始信号の送信後における前記室温が設定室温より高い旨の判定をした場合に、輻射暖房装置出力アップ稼動終了信号を輻射暖房装置に送信し、前記輻射暖房装置は、前記輻射暖房装置稼動開始信号を受信した場合に平常稼動を開始し、前記輻射暖房装置出力アップ稼動開始信号を受信した場合に、前記平常稼動よりも出力を上げて稼動する出力アップ稼動を開始し、前記輻射暖房装置出力アップ稼動終了信号を受信した場合に、前記出力アップ稼動を終了して前記平常稼動に切り替えることが好ましい。
【００１１】
又、本発明の請求項５は、部屋に輻射熱を放出する輻射暖房装置と部屋に温風を送出するエアコンとこれらの輻射暖房装置とエアコンとに制御信号を送信しそれらを連動稼動可能に制御する管理部とを用いて部屋の暖房を行う部屋の暖房方法であって、前記管理部に、輻射暖房装置の稼動の開始及び停止を判定させ、その判定に基づいて、輻射暖房装置稼動開始信号と輻射暖房装置稼動停止信号とを輻射暖房装置に送信させるとともに、エアコンの稼動の開始及び停止を判定させ、その判定に基づいて、エアコン稼動開始信号をエアコンに送信させるとともに、エアコン稼動停止信号を、前記輻射暖房装置稼動開始信号の送信後であって前記輻射暖房装置稼動停止信号の送信前に、エアコンに送信させることを特徴とする部屋の暖房方法を提供する。
【発明の効果】
【００１２】
請求項１及び請求項５によれば、部屋が一定の温度に暖まるまではエアコンと輻射暖房装置との両方の稼動によって部屋を暖める一方、部屋が一定の温度に暖まった後は、エアコンの稼動を停止させることができる。これにより、輻射暖房装置のみの場合よりも短時間で部屋の温度を上げることができるとともに、ランニングコストがエアコンよりも高い輻射暖房装置の負荷の低減を図ることができる。一方、部屋が一定の温度に暖まった後は、エアコンの稼動を停止させるため、例えば部屋におけるベッドに横たわった者に対してエアコンの温風がかかるのを抑えることができるとともに、輻射暖房装置から発せられる輻射熱によってマイルドな暖房感を得ることができ、部屋、特に寝室の暖房として適したものにできる。
【００１３】
請求項２によれば、エアコン稼動開始信号は、前記輻射暖房装置開始信号の送信前に、エアコンに送信され、輻射暖房装置の稼動に先立ってエアコンが稼動するため、部屋を一定の温度に暖める立ち上げ初期を、エアコン単独で部屋の温度を上げることができる。エアコンは、例えば熱源としてヒーター線を有する輻射暖房装置よりも速く部屋の温度を上げることができるとともに、ランニングコストが低いため、部屋を一定の温度に暖める立ち上げ初期を、時間的およびコスト的に効率良く行うことができる。
【００１４】
請求項３によれば、設定室温高低判定部によって、部屋の室温が設定室温より低い旨の判定をした場合に、エアコン稼動開始信号をエアコンに送信するとともに、そのエアコン稼動開始信号の送信後における室温が設定室温より高い旨の判定をした場合に、エアコン稼動停止信号をエアコンに送信する。こうすることにより、輻射暖房装置のみの稼動で部屋の温度が設定室温よりも低くなると、設定室温になるまでエアコンを稼動させることができる。これにより、設定室温よりも低くなった場合には、ランニングコストが輻射暖房装置よりも低いエアコンによって設定室温に上げることができ、しかも、迅速に上げることができる。
【００１５】
請求項４によれば、その輻射暖房装置の稼動で部屋の温度が設定室温よりも低くなると、設定室温になるまで輻射暖房装置をそれよりも出力アップして稼動させ、又、それによって、設定室温より高くなった場合に、出力アップ稼動から平常の稼動に切り替えるため、ランニングコストがエアコンよりも高い輻射暖房装置を、例えば電力の安い深夜料金で出力アップ稼動を行うようにすれば、ランニングコストを抑えることができる。しかも、暖房の立ち上げ時以外はエアコンを稼動させないため、例えば就寝中にエアコンの温風が就寝している者に当たるようなことを抑えることができる。
【発明を実施するための最良の形態】
【００１６】
以下、本発明を実施するための最良の形態について、図面を参照しながら詳細に説明する。
【００１７】
図１は、本発明の第１実施形態の暖房システムが設けられた寝室の概略図、図２は、本発明の第１実施形態の部屋の暖房システムに用いられる輻射暖房装置用コントローラの概略図、図３は、その輻射暖房装置用コントローラを説明するためのブロック図、図４は、同システムに用いられるエアコンのブロック図である。
【００１８】
第１実施形態の暖房システムは、部屋としての寝室１０に用いられており、図１に示すように輻射暖房装置２と、エアコン（エアーコンディショナー）３と、これらの輻射暖房装置２とエアコン３とに制御信号を送信可能な管理部４０とを備えている。
【００１９】
この第１実施形態の輻射暖房装置２は、図１に示すように、熱を拡散する輻射パネル２０と、輻射パネル２０に熱を供給する熱源としてのヒーター線（図示せず）とを備えている。そして、輻射パネル２０は、寝室１０における図１の右側に現された側壁と天井壁とに、夫々装着されている。
【００２０】
又、輻射暖房装置２は、図１、図２に示すように、壁パネルヒーター装置から構成されており、電源線６を介して上記ヒーター線と接続された輻射暖房装置用コントローラ４を備えている。この輻射暖房装置用コントローラ４は、寝室１０における図１の後方側に現された側壁に取付けられている。尚、図２中の６１は、漏電ブレーカを示す。
【００２１】
又、輻射暖房装置用コントローラ４は、信号線５１を介して、この輻射暖房装置用コントローラ４と接続された赤外線送信機５２が付設されており、この赤外線送信機５１を介して後述する輻射暖房装置用コントローラ４に設けられた管理部４０とエアコン３とが赤外線通信可能とされている。尚、この実施形態では、赤外線送信機５２は、図１の左側に現された側壁に取付けられている。
【００２２】
又、この実施形態では、この輻射暖房装置用コントローラ４に、上記管理部４０が付設されている。この管理部４０は、図３に示すように、輻射暖房装置稼動判定部４１と、エアコン稼動判定部４２と、設定室温高低判定部４３と、エアコン追加稼動判定部４４と、送信部４５とを備えている。
【００２３】
輻射暖房装置稼動判定部４１は、予め設定され入力された輻射暖房装置稼動開始設定時刻に基づいて、輻射暖房装置２の稼動を開始するか否かを判定するとともに、予め設定された輻射暖房装置稼動停止設定時刻に基づいて、稼動を開始した輻射暖房装置２の稼動を停止するか否かを判定する。
【００２４】
又、管理部４０は、この輻射暖房装置稼動判定部４１によって、輻射暖房装置２の稼動を開始する旨の判定をした場合、輻射暖房装置の稼動を開始する旨の輻射暖房装置稼動開始信号を生成し、輻射暖房装置２の稼動を停止する旨の判定をした場合、輻射暖房装置の稼動を停止する旨の輻射暖房装置稼動停止信号を生成する。
【００２５】
エアコン稼動判定部４２は、予め設定され入力されたエアコン稼動開始設定時刻に基づいて、エアコン３の稼動を開始するか否かを判定するとともに、予め設定されたエアコン稼動停止設定時刻に基づいて、稼動を開始したエアコン３の稼動を停止するか否かを判定する。
【００２６】
また、この第１実施形態では、上記エアコン稼動開始設定時刻は、上記輻射暖房装置稼動開始設定時刻よりも早い時刻に設定されている。又、エアコン稼動停止設定時刻は、上記輻射暖房装置稼動開始設定時刻よりも早い時刻に設定されている。また、この第１実施形態におけるエアコン稼動停止設定時刻は、エアコン稼動開始設定時刻から０、５時間〜２時間程度経過後の時刻に設定されているが、これに限定されず、適宜変更し得る。
【００２７】
又、管理部４０は、このエアコン稼動判定部４２によって、エアコン３の稼動を開始する旨の判定をした場合、エアコン３の稼動を開始する旨のエアコン稼動開始信号を生成し、エアコン３の稼動を停止する旨の判定をした場合、エアコン３の稼動を停止する旨のエアコン稼動停止信号を生成する。
【００２８】
設定室温高低判定部４３は、この輻射暖房装置用コントローラ４に付設され室温を検出する検出センサ（図示せず）によって検出された検出温度と予め設定された設定室温とに基づいて、上記エアコン稼動停止設定時刻から上記輻射暖房装置稼動停止設定時刻までの間における寝室の室温が設定室温よりも低いか又は高いかを判定する。
【００２９】
エアコン追加稼動判定部４４は、上記設定室温高低判定部４３の判定に基づいて、エアコン３の追加稼動を開始するか否かを判定するとともに、その開始したエアコンの追加稼動を停止するか否かを判定する。
【００３０】
詳しくは、エアコン追加稼動判定部４４は、上記設定室温高低判定部４３によって、後述するエアコン稼動停止信号送信後における寝室の室温が設定室温より低い旨の判定をした場合にその判定に基づいて、エアコンの追加稼動を開始する旨の判定をする。又、エアコン追加稼動判定部４４は、上記設定室温高低判定部４３によって寝室の室温が設定室温より高い旨の判定をした場合にその判定に基づいて、エアコンの追加稼動を停止する旨の判定をする。
【００３１】
そして、管理部４０は、このエアコン追加稼動判定部４４によって、エアコン３の追加稼動を開始する旨の判定をした場合、上述のエアコン稼動判定部４１の場合と同様に、エアコン稼動開始信号を生成し、エアコン３の追加稼動を停止する旨の判定をした場合、エアコン稼動停止信号を生成する。
【００３２】
送信部は、例えばエアコン稼動開始信号、エアコン稼動停止信号を、赤外線送信機４０を介してエアコン３に赤外線送信する。
【００３３】
又、輻射暖房装置用コントローラ４は、管理部４０から制御信号を受信し輻射暖房装置２の稼動を操作するための稼動操作部４ａを備えている。この稼動操作部４ａは、輻射暖房装置稼動開始部４６と、輻射暖房装置稼動停止部４７とを備えている。輻射暖房装置稼動開始部４６は、上記輻射暖房装置稼動開始信号を管理部４０から受信した場合にその輻射暖房装置稼動開始信号に基づいて、ヒーター線に通電して稼動を開始させる。
【００３４】
輻射暖房装置稼動停止部４７は、輻射暖房装置稼動停止信号を管理部４０から受信した場合にその輻射暖房装置稼動停止信号に基づいて、ヒーター線への通電を停止し稼動を終了させる。
【００３５】
又、輻射暖房装置用コントローラ４は、図示しないが、記録装置であるメモリ、制御装置であるＣＰＵ、表示装置である表示部、入力装置であるボタンキー等を備えている。
【００３６】
そして、上記ＣＰＵは、図３の輻射暖房装置稼動判定部４１、エアコン稼動判定部４２、設定室温高低判定部４３、エアコン追加稼動判定部４４、送信部４５、輻射暖房装置稼動開始部４６と、輻射暖房装置稼動停止部４７として機能する。
【００３７】
次に、エアコン３について説明する。この実施形態のエアコン３は、図１、図２に示すように、寝室１０における図１の右側に現された側壁に、上記赤外線送信機５１と対向し赤外線受信可能に設置された熱交換機を有する室内機３０、冷媒を圧縮する圧縮機（図示せず）、熱交換機を有する室外機（図示せず）等を備えたヒートポンプ式冷暖房装置から構成されている。そして、室内機３０は、例えばこれらによって発生させた暖気を、室内機３０に開設された開口部３０ａ（図２に図示）から、室内機３０に内設されたファン（図示せず）によって温風にして寝室１０内に送出できるように構成されている。
【００３８】
又、このエアコン３の室内機３０には、図４に示すように、管理部４０からの制御信号を受信しエアコン３の稼動を操作するための稼動操作部が備えられている。又、この稼動操作部は、エアコン稼動開始部３１と、エアコン稼動停止部３２と、受信部３３とを備えている。
【００３９】
エアコン稼動開始部３１は、エアコン稼動開始信号を上記管理部４０から受信した場合にそのエアコン稼動開始信号に基づいて、エアコンの稼動を開始させる。
【００４０】
エアコン稼動停止部３２は、エアコン稼動停止信号を上記管理部４０から受信した場合にそのエアコン稼動停止信号に基づいて、エアコンの稼動を停止させる。
【００４１】
受信部３３は、例えばエアコン稼動開始信号、エアコン稼動停止信号を上記管理部４０から赤外線受信する。
【００４２】
又、エアコン３（室内機３０）は、図示しないが、記録装置であるメモリ、制御装置であるＣＰＵ、表示装置である表示部、管理部４０と通信するため通信インターフェース等を備えている。
【００４３】
そして、上記ＣＰＵは、図４のエアコン稼動開始部３１、エアコン稼動停止部３２、受信部３３として機能する。
【００４４】
次に、本システムの動作について、図５〜図７、及び図８に基づいて説明する。まず、管理部４０は、エアコン稼動開始設定時刻に基づいて、エアコン３の稼動を開始させるか否かを判定する（図５、ステップＳ１）。
【００４５】
このステップＳ１において、エアコン３の稼動を開始させる旨の判定をした場合、管理部４０は、エアコン稼動開始信号をエアコン３（稼動操作部）に送信する（図５、ステップＳ２）。一方、ステップＳ１において、エアコン３の稼動を開始させない旨の判定をした場合、管理部４０は、エアコン稼動開始設定時刻まで待つ。
【００４６】
エアコン稼動開始信号を受信したエアコン３は、そのエアコン稼動開始信号に基づいてエアコン３の稼動を開始する（図５、ステップＳ３）。
【００４７】
次に、管理部４０は、輻射暖房装置稼動開始設定時刻に基づいて、輻射暖房装置２の稼動を開始させるか否かを判定する（図５、ステップＳ４）。
【００４８】
このステップＳ４において、輻射暖房装置２の稼動を開始させる旨の判定をした場合、管理部４０は、輻射暖房装置稼動開始信号を輻射暖房装置稼動開始部４６に送信し、輻射暖房装置稼動開始部４６がその輻射暖房装置稼動開始信号に基づいて輻射暖房装置２の稼動を開始させる（図５、ステップＳ５）。一方、ステップＳ４において、輻射暖房装置２の稼動を開始させない旨の判定をした場合、管理部４０は、輻射暖房装置稼動開始設定時刻まで待つ。
【００４９】
その後、管理部４０は、エアコン稼動停止設定時刻に基づいて、エアコン３の稼動を終了させるか否かを判定する（図５、ステップＳ６）。
【００５０】
このステップＳ６において、エアコン３の稼動を停止させる旨の判定をした場合、管理部４０は、エアコン稼動停止信号をエアコン３に送信する（図６、ステップＳ７）。一方、ステップＳ６において、エアコン３の稼動を停止させない旨の判定をした場合、管理部４０は、エアコン稼動停止設定時刻まで待つ。
【００５１】
エアコン稼動停止信号を受信したエアコン３は、稼動を停止する（図６、ステップＳ８）。
【００５２】
次に、管理部４０は、寝室１０の室温が設定室温より低いか又は高いかを判定する（図６、ステップＳ９）。このステップＳ９において、設定室温より低い旨の判定をした場合、エアコン稼動開始信号をエアコン３に再度、送信する（図６、ステップＳ１０）。一方、ステップＳ９において、設定室温より高い旨の判定をした場合、管理部４０は、後述のステップＳ１２に制御を移す。
【００５３】
エアコン稼動開始信号を受信したエアコン３は、追加稼動を開始する（図６、ステップＳ１１）。
【００５４】
その後、管理部４０は、輻射暖房装置稼動停止設定時刻に基づいて、輻射暖房装置２の稼動を停止させるか否かを判定する（図６、ステップＳ１２）。このステップＳ１２において、輻射暖房装置２の稼動を停止させない旨の判定をした場合、管理部４０は、制御を後述のステップＳ１３に移し、一方、輻射暖房装置２の稼動を停止させる旨の判定をした場合、制御を後述のステップＳ１６に移す。
【００５５】
制御をステップＳ１３に移した管理部４０は、寝室１０の室温が設定室温より高いか低いかを判定する。そして、ステップＳ１３において、設定室温より高い旨の判定をした場合、管理部４０は、エアコン稼動停止信号をエアコン３に送信する（図７、ステップＳ１４）。一方、ステップＳ１３において、設定室温より低い旨の判定をした場合、管理部４０は、制御を上記ステップＳ１２に戻す。
【００５６】
エアコン稼動停止信号を受信したエアコン３は、追加稼動を終了する（図７、ステップＳ１５）。
【００５７】
一方、制御をステップＳ１６に移した管理部４０は、エアコン３が追加稼動中か否かを判定する。この判定は、この実施形態では、管理部４０がエアコン３に対し、エアコン稼動開始信号を送信し、且つ、それに対応するエアコン稼動停止信号を送信している場合、管理部４０によって、エアコン３が追加稼動中でない旨の判定がなされる。
【００５８】
一方、管理部４０がエアコン３に対し、エアコン稼動開始信号を送信し、且つ、それに対応するエアコン稼動停止信号を未だ送信していない場合、管理部４０によって、エアコン３が追加稼動中である旨の判定がなされる。
【００５９】
そして、ステップＳ１６において、管理部４０は、エアコン３が追加稼動中でない旨の判定をした場合、制御を後述のステップＳ１７に移し、一方、エアコン３が追加稼動中である旨の判定をした場合、制御を後述のステップＳ１９に移す。
【００６０】
制御をステップＳ１７に移した管理部４０は、輻射暖房装置稼動停止信号を輻射暖房装置稼動停止部４７に送信する。そして、輻射暖房装置稼動停止部４７は、その輻射暖房装置稼動停止信号に基づいて輻射暖房装置２の稼動を停止させる（図７、ステップＳ１８）。
【００６１】
一方、制御をステップＳ１９に移した管理部４０は、エアコン稼動停止信号をエアコン３に、輻射暖房装置稼動停止信号を輻射暖房装置稼動停止部４７に、夫々、送信する。
【００６２】
エアコン稼動停止信号を受信したエアコン３は、追加稼動を停止し、輻射暖房装置稼動停止信号を受信した輻射暖房装置稼動停止部４７は、輻射暖房装置２の稼動を停止させる（図７、ステップＳ２０）。以上が、第１実施形態の動作であり、輻射暖房装置２とエアコン３は、例えば図８に示すように稼動する。
【００６３】
尚、上記第１実施形態において、エアコン３を、輻射暖房装置２に先立って稼動させているが、この形態のものに限らず、同時に、又は、エアコン３を、輻射暖房装置２に多少遅れて稼動させるようにしても良く、適宜変更し得る。
【００６４】
次に、本システムの第２実施形態について、図９〜図１１、及び図１２に基づいて説明する。第２実施形態の輻射暖房装置用コントローラ１０４に付設された管理部１４０は、図９に示すように輻射暖房装置稼動判定部１４１と、エアコン稼動判定部１４２と、設定室温高低判定部１４３と、輻射暖房装置出力アップ稼動判定部１４８と、送信部１４５とを備えている。輻射暖房装置稼動判定部１４１、エアコン稼動判定部１４２、設定室温高低判定部１４３、及び送信部１４５は、先の第１実施形態のものと同構成を採っている。
【００６５】
尚、この第２実施形態における輻射暖房装置稼動開始設定時刻と、エアコン稼動開始設定時刻とは、同じ時刻とされており、１つの輻射暖房装置・エアコン稼動開始設定時刻として設定されている。
【００６６】
輻射暖房装置出力アップ稼動判定部１４８は、設定室温高低判定部１４３に基づいて、後述するように輻射暖房装置稼動開始部１４６によって平常稼動を開始した輻射暖房装置２に出力アップ稼動を開始させるか否かを判定するとともに、その開始した輻射暖房装置２の出力アップ稼動を終了するか否かを判定する。
【００６７】
詳しくは、輻射暖房装置出力アップ稼動判定部１４８は、上記設定室温高低判定部１４３によって寝室の室温が設定室温より低い旨の判定をした場合にその判定に基づいて、輻射暖房装置稼動開始部１４６によって平常稼動（輻射暖房装置稼動開始信号に基づく稼動）をしている輻射暖房装置２を、その平常稼動から、平常稼動の出力よりも出力を上げた出力アップ稼動に切り替えて出力アップ稼動を開始させる旨の判定をする。又、輻射暖房装置出力アップ稼動判定部１４８は、輻射暖房装置２が出力アップ稼動を開始した後、上記設定室温高低判定部４３によって寝室の室温が設定室温より高い旨の判定をした場合にその判定に基づいて、出力アップ稼動を終了して平常稼動に戻す旨の判定をする。
【００６８】
そして、管理部１４０は、この輻射暖房装置出力アップ稼動判定部１４８によって、輻射暖房装置２の出力アップ稼動を開始させる旨の判定をした場合、輻射暖房装置２の出力アップ稼動を開始する旨の輻射暖房装置出力アップ稼動開始信号を生成し、輻射暖房装置２の出力アップ稼動を終了する旨の判定をした場合、輻射暖房装置２の出力アップ稼動を終了する旨の輻射暖房装置出力アップ稼動終了信号を生成する。
【００６９】
又、第２実施形態の輻射暖房装置用コントローラ１０４の稼動操作部１０４ａは、輻射暖房装置稼動開始部１４６と、輻射暖房装置出力アップ稼動開始部１４９と、輻射暖房装置出力アップ稼動終了部１５０と、輻射暖房装置稼動停止部１４７とを備えている。
【００７０】
輻射暖房装置稼動開始部１４６は、管理部１４０から輻射暖房装置稼動開始信号を受信した場合に、輻射暖房装置の平常稼動を開始させる。また、輻射暖房装置稼動停止部１４７は、輻射暖房装置の稼動を停止させる。
【００７１】
輻射暖房装置出力アップ稼動開始部１４９は、輻射暖房装置出力アップ稼動開始信号を管理部１０５から受信した場合にその信号に基づいて輻射暖房装置２に、平常稼動から出力アップ稼動に切り替えて出力アップ稼動を開始させる。
【００７２】
輻射暖房装置出力アップ稼動終了部１５０は、輻射暖房装置出力アップ稼動終了信号を管理部１０５から受信した場合にその信号に基づいて輻射暖房装置２の出力アップ稼動を終了し平常稼動に切り替える。
【００７３】
次に、第２実施形態の動作について、図１０、図１１に基づいて説明する。まず、管理部１４０は、輻射暖房装置・エアコン稼動開始設定時刻に基づいて、輻射暖房装置２及びエアコン３の稼動を開始させるか否かを判定する（図１０、ステップＳ１０１）。
【００７４】
このステップＳ１０１において、輻射暖房装置２及びエアコン３の稼動を開始させる旨の判定をした場合、管理部１４０は、エアコン稼動開始信号をエアコン３（稼動操作部）に送信するとともに、輻射暖房装置稼動開始信号を輻射暖房装置稼動開始部１４６に送信する（図１０、ステップＳ１０２）。一方、ステップＳ１０２において、輻射暖房装置２及びエアコン３の稼動を開始させない旨の判定をした場合、管理部１４０は、輻射暖房装置・エアコン稼動開始設定時刻まで待つ。
【００７５】
エアコン稼動開始信号を受信したエアコン３はその信号に基づいて稼動を開始するとともに、輻射暖房装置稼動開始信号を受信した輻射暖房装置稼動開始部１４６は、その信号に基づいて、輻射暖房装置３に稼動を開始させる（図１０、ステップＳ１０３）。
【００７６】
次に、管理部１４０は、エアコン稼動停止設定時刻に基づいて、エアコン３の稼動を停止させるか否かを判定する（図１０、ステップＳ１０４）。
【００７７】
このステップＳ１０４において、エアコン３の稼動を停止させる旨の判定をした場合、管理部１４０は、エアコン稼動停止信号をエアコン３に送信する（図１０、ステップＳ１０５）。一方、ステップＳ１０４において、エアコン３の稼動を停止させない旨の判定をした場合、管理部１４０は、エアコン稼動停止設定時刻まで待つ。
【００７８】
エアコン稼動停止信号を受信したエアコン３は、その稼動を停止する（図１０、ステップＳ１０６）。
【００７９】
次に、管理部１４０は、寝室１０の室温が設定室温より低いか又は高いかを判定する（図１１、ステップＳ１０７）。このステップＳ１０７において、設定室温より高い旨の判定をした場合、後述のステップＳ１０９に制御を移す。
【００８０】
一方、設定室温よりも低い旨の判定をした場合、管理部１４０は、輻射暖房装置出力アップ稼動開始信号を輻射暖房装置出力アップ稼動開始部１４９に送信し、受信した輻射暖房装置出力アップ稼動開始部１４９はその信号に基づいて、輻射暖房装置２に出力アップ稼動を開始させる（図１１、ステップＳ１０８）。
【００８１】
その後、管理部１４０は、輻射暖房装置稼動停止設定時刻に基づいて、輻射暖房装置２の稼動を停止するか否かを判定する（図１１、ステップＳ１０９）。このステップＳ１０９において、輻射暖房装置２の稼動を停止させない旨の判定をした場合、管理部１４０は、寝室１０の室温が設定室温より低いか又は高いかを再度判定する（図１１、ステップＳ１１０）。このステップＳ１１０において、設定室温より低い旨の判定をした場合、管理部１４０は、制御をステップＳ１０９に戻す。
【００８２】
一方、ステップＳ１１０において、設定室温より高い旨の判定をした場合、管理部１４０は、輻射暖房装置出力アップ稼動終了信号を輻射暖房装置出力アップ稼動終了部１５０に送信し、輻射暖房装置出力アップ稼動終了部１５０は、その信号に基づいて輻射暖房装置２の出力アップ稼動を終了させて平常稼動に切り替える（図１１、ステップＳ１１１）。その後、管理部１４０は、制御をステップＳ１０７に戻す。
【００８３】
又、上記ステップＳ１０９で、制御をステップＳ１１２に移した管理部１４０は、輻射暖房装置稼動停止信号を輻射暖房装置稼動停止部１４７に送信し、輻射暖房装置稼動停止部１４７によって、輻射暖房装置２の稼動を停止させる。以上が、第２実施形態の動作であり、輻射暖房装置２とエアコン３は、例えば図１２に示すように稼動する。
【００８４】
尚、上記第２実施形態において、エアコン３と輻射暖房装置２とを同時に稼動させているが、この形態のものに限らず、エアコン３を、輻射暖房装置２に先立って稼動させ、又は、エアコン３を、輻射暖房装置２に多少遅れて稼動させるようにしても良く、適宜変更し得る。
【００８５】
また、上記第１及び第２実施形態では、管理部を、輻射暖房装置用コントローラに設けているが、この形態のものに限らず、適宜変更できる。例えば管理部を、エアコン及び輻射暖房装置に制御信号を送信可能になるようにして、エアコンと輻射暖房装置とは別途に設けるようにしても良い。又、例えば管理部を、エアコンに設けたコントローラに付設するようにしても良い。
【００８６】
又、上記実施形態では、輻射暖房装置は、輻射パネルとヒーター線とを備えたものから構成されているが、この形態のものに限らず、部屋に輻射熱を放出し得るものであれば良く、適宜変更できる。例えば温水等の液体を循環させるパイプと、その液体の熱を輻射熱として拡散する輻射パネルを備えたものであっても良い。
【００８７】
また、上記実施形態では、管理部がエアコン及び輻射暖房装置に制御信号を自動送信しているが、例えば操作者が直接操作してエアコン及び輻射暖房装置に制御信号を送信することも可能であり、操作者が管理部を手で操作してエアコン及び輻射暖房装置に制御信号を適宜送信するようにしても良い。
【００８８】
又、上記実施形態では、本システムは、寝室に適用される形態のものに限らず、種々の部屋に適用でき、適宜変更できる。
【図面の簡単な説明】
【００８９】
【図１】本発明の第１実施形態の暖房システムを施した寝室の概略図である。
【図２】本発明の第１実施形態の部屋の暖房システムに用いられる輻射暖房装置用コントローラの概略図である。
【図３】同システムに用いられる輻射暖房装置用コントローラを説明するためのブロック図である。
【図４】同システムに用いられるエアコンを説明するためのブロック図である。
【図５】第１実施形態の動作を説明するためのフローチャートの一部である。
【図６】第１実施形態の動作を説明するためのフローチャートの他の一部である。
【図７】第１実施形態の動作を説明するためのフローチャートの更に他の一部である。
【図８】第１実施形態の輻射暖房装置とエアコンとの稼動状況の説明図である。
【図９】第２実施形態における輻射暖房装置用コントローラを説明するためのブロック図である。
【図１０】第２実施形態の動作を説明するためのフローチャートの一部である。
【図１１】第２実施形態の動作を説明するためのフローチャートの他の一部である。
【図１２】第２実施形態の輻射暖房装置とエアコンとの稼動状況の説明図である。
【符号の説明】
【００９０】
２    輻射暖房装置
３    エアコン
４、１０４    輻射暖房装置用コントローラ
４０、１４０    管理部
【図１】
2009109032.tif 000003
【図２】
2009109032.tif 000004
【図３】
2009109032.tif 000005
【図４】
2009109032.tif 000006
【図５】
2009109032.tif 000007
【図６】
2009109032.tif 000008
【図７】
2009109032.tif 000009
【図８】
2009109032.tif 000010
【図９】
2009109032.tif 000011
【図１０】
2009109032.tif 000012
【図１１】
2009109032.tif 000013
【図１２】
2009109032.tif 000014